(57)【要約】【課題】液体を運搬するタンクローリ車等は複数の部屋を有しており、間違った部屋に注入を行うと危険である。【解決手段】光源２より発した光は、光ファイバー３Ａを通じて液体注入の手段４の先端付近４Ａから出射し、注入口付近に設けられた識別マーク５に当たり、反射して光ファイバー３Ｂを通じて、読み取り部１Ｂに戻る。制御部１では、液体注入に先立って、記憶部１Ａに例えば識別マーク０１の注入部にはガソリンを、識別マーク０２の注入部には灯油を注入すると入力をしておく。その後光源より光を識別マークに送り、識別マークで反射した光を制御部に戻し、そこで入力した識別マークと一致するか否か比較部１Ｃが比較を行う。比較した結果、一致したならばバルブ制御部１Ｄの指示により、ホースの根元に設けたバルブが開くので注入口を通じて、液体がタンクに注入される。一致しなければ、バルブが開かれず、注入は行われない。【選択図】図１
2004051217.tif 000002
【特許請求の範囲】
【請求項１】
液体を運搬するタンクローリ車等の液体注入口付近に数字、英字、色、記号、そのおのおの又はそれらの組み合わせである識別マークを設け、液体を注入するホース等の先端付近に前記マークを検知する検知器を設け、前記検知器によって検知したマークと別途制御器に入力したマークの意味との一致を見た場合のみ、液体が注入できる液体注入システム。
【請求項２】
前記検知器は光ファイバーを用い、制御器等から発せられた光で前記識別マークを色単独又は色の組み合わせで検知することを特徴とする請求項１に記載の液体注入システム。
【請求項３】
前記入力したマークの意味は液体注入口付近に設けた識別マークと対応するマークと目的とする種類の液体を表すことを特徴とする請求項１に記載の液体注入システム。
【発明の詳細な説明】
【０００１】
【発明の属する技術分野】本発明は、液体を運搬するタンクローリ車等において、目的とする液体を目的とする部分以外に誤って注入する危険を防止するシステムに関する。
【０００２】
【従来の技術】精製元又は供給元からガソリンスタンド等の末端販売業者に液体を運搬する場合、ガソリンと灯油を１台の運搬車で運ぶことが運用上便利でありそのような使用がされていた。すなわち液体を運搬するタンクローリ車等では、ガソリン、灯油、重油等複数種類の液体を１台の車両で運搬できるようにすること、および運搬時の液体の動揺がタンクの壁面に与える衝撃を小さくするためにもタンク内を複数の（通常は４〜９）部屋に分けられている。
【０００３】１台で複数種類の液体を運搬するときには、誤って目的以外の部屋に注入しないよう、例えば、タンクの上に人間が上がり、注入用のホースを注入口に挿入後何らかの連絡手段を用いて、注入元に液体の種類を連絡してから注入を行っていた。
【０００４】ところが、液体は気化しやすい上に発火し易い物であるので、注入口にいる者と注入元との連絡には厳重な防爆システムが設けられていなければならない。従って、通常は携帯型無線機を用いて、連絡を行ってきた。しかし、精製元、又は供給元には多数の運搬車が同時に集まり、同時に注入する機会が多く、無線電波の混信が起こる恐れがあった。
【０００５】目的とする以外の液体が注入された場合、本来はガスパーシ（仕切られた部屋内に残された気化したガスを抜くこと）を行うべき時にされずに注入されること等の不都合なことが起こる。又、運搬後に、ガソリンスタンド等のタンクに注入され貯蔵されるが、灯油を買いにきた人にガソリンが売られてしまうようなことになると火災が起きる可能性が非常に大きく危険である。
【０００６】
【発明が解決しようとする課題】
上記のような危険が起きないように細心の注意を払って作業が行われるのだが、人間の注意力には限界がある。しかし、１台のタンクローリ車には１種類の液体だけしか注入しないとなるとタンクローリ車の効率的運用が計られない。
【０００７】
上記のように注入作業の安全と確実性の同時解決が求められていた。
【０００８】通常はバーコードによる識別マークが考えられるが、バーコードを用いると次のような欠点があり、有効な手段とは言えない。
▲１▼　バーコードが注油口付近に設けられているので、室内で用いられるのとは異なり、汚れ易い。汚れると読み取り時にミスをおかし易い。
▲２▼　バーコードに雨滴等の液体がかかっていると、液体がレンズ効果を示し、バーの間隔や太さが実際とは異なってきて読み取りのミスをおかし易い。又、読み取りの焦点がずれることもありえる。
▲３▼　バーコードの読み取りでは光ファイバーに複数本の芯線が必要になってくる。
【０００９】
【課題を解決するための手段】請求項１に記載の液体注入システムは、液体を運搬するタンクローリ車等の液体注入口付近に数字、英字、色、記号、そのおのおの又はそれらの組み合わせ識別マークを設け、液体を注入するホース等の先端付近に前記マークを検知する検知器を設け、前記検知器によって検知したマークと別途制御器に入力したマークの意味との一致を見た場合のみ、液体が注入できる液体注入システムであって、検知器で検知した識別マークと制御器に入力した識別マークに対応するマークと目的とする種類の液体とが一致した場合のみ液体の注入が行われ、一致しない場合には注入が行われないことにした。
【００１０】この結果、人為的ミスや連絡手段の混信によりまちがった注入口に注入用のホースを挿入しても液体の注入が行われなくなる。
【００１１】請求項２に記載の液体注入システムは、前記検知器には光ファイバーを用い、制御器等から発せられた光で前記識別マークとして色を検知することを特徴とする請求項１に記載の液体注入システムを提案するものであり、防爆型の連絡手段になっている。
【００１２】請求項３に記載の液体注入システムは、前記入力したマークの意味には液体注入口付近に設けた識別マークと対応するマークと目的とする種類の液体を表すことを特徴とする請求項１に記載の液体注入システムを提案するものであり、人為的ミスを防ぐことが出来る。
【００１３】
【発明の実施の形態】以下、本発明の実施の形態について説明する。
【００１４】図１は、本発明の実施形態を示すシステムのブロック図、図２は識別マークを読み取る部分のブロック図、図３は図２のタンクローリ車の注入口付近の拡大図、４図はマークの例、図５はホース等の先端付近の拡大図を示す。
【００１５】具体的な説明に入る。図１で１はこのシステムの中心となる制御部である。光源２より発した光は、検知器である光ファイバー３Ａを通じてホース等液体注入の手段４の先端付近４Ａから出射し、注入口付近に設けられた識別マーク５に当たり、反射して光ファイバー３Ｂを通じて制御部１の読み取り部１Ｂに戻る。
【００１６】制御部１では、液体注入に先立って、入力部１Ａに例えば識別マーク０１の注入部にはガソリンを、識別マーク０２の注入部には灯油を注入すると入力をしておく。その後光源より光を光ファイバーを通じて識別マークに送り、識別マークで反射した光を制御部に戻し、そこで入力した識別マークと一致するか否か比較部１Ｃが比較を行う。
【００１７】比較した結果、一致したならばバルブ制御部１Ｄの指示により、ホースの根元に設けたバルブが開くので注入口を通じて、液体がタンクに注入される。一致しなければ、バルブが開かれず、注入は行われない。このときブザー等で一致しないことを知らせることができる。
【００１８】液体を注入しようとして、ホース等の液体注入の手段を注入口に挿入するときに注入口付近に設けられた識別マークが読み取れるようになっているので、わざわざ、識別マークを読み取る手間はかからない。
【００１９】識別マークは色（図４−１，２）数字（図４−３）、英字（図４−４）等が用いられる。これらは単独でも、組み合わせて用いてもよい。数字、英字、等は文字等の形状を認識する機能を有する機器を用いることができる。色の読み取りについてはその一例を図２のブロック図で示す。光源を出射した光は光ファイバーを通じて、識別マークに到達し、反射した光は同一の光ファイバーを通って戻ってくる。戻った光はビームスプリッター及びフォトダイオードに至り、所定の色のみを通過する。色ゲインを上昇させて判別をし易くし、ピーク値を検出する。この光をあらかじめ入力しておいた光と比較させ、一致すれば、注油が可能とし、不一致ならば注油不可能とする。
【００２０】注入口付近に設ける識別マークは上記の原理で読み取りが可能であるが、別途マークを設けなくても、部屋の識別用に設けられている部屋番号を用いてもよい。また、設ける場合はシール等を貼り付けでもよいし、容易に消えない塗料等を用いて書いてもよい。
【００２１】識別マークに色（図４−１，２）数字（図４−３）、英字（図４−４）等（それらの組み合わせも含む）を用いたので次のような利点が見出される。
▲１▼　バーコードを用いると屋外で使用する部分に汚れが付着して読み取りにミスが出易いが、これらのマーク、特には色の場合、面積を有するので、少しぐらいの汚れがあってもミス読み取りは起き得ない。又、雨等の液体がかかった場合、液体のレンズ効果によりバーコードのバーが太く見えることがあり、ミス読み取りが起き得たが、これらのマークを用いればその恐れはなくなる。
▲２▼　バーコードでは人間が直接に判読はしにくいが、色や数字、英字では判読し易い。
▲３▼　バーコードでは光ファイバーに複数本の芯線が必要であるが、色や数字、英字では単芯でよい。
【００２２】
【発明の効果】上記のように、液体を運搬するタンクローリ車等の液体注入口付近に識別マークを設け、液体を注入するホース等の先端付近に前記マークを検知する検知器を設け、前記検知器によって検知したマークと別途制御器に入力したマークの意味との一致を見た場合のみ、液体が注入できる液体注入システムであって、検知器で検知した識別マークと制御器に入力した識別マークに対応するマークと目的とする種類の液体とが一致した場合のみ液体の注入が行われることにしたので、もしまちがった注入口に注入用のホースを挿入しても液体の注入が行われなくなり、人為的ミスは防がれる。
【００２３】更には、前記識別マークは色、濃淡、数字、英字、記号で設けられ、そのおのおの又はそれらの組み合わせであるので、識別マークが簡単な構造、表現であり設けやすいものとしている。
【００２４】上記の識別マークを用いるので、バーコードのように、ごみや雨滴等の付着による誤読み取りや複数本の光ファイバーを用いる必要がなく、信頼性が著しく向上する。
【００２５】更には、前記検知器には光ファイバーを用い、制御器等から発せられた光で前記識別マークを検知するのであり、気化や発火し易い液体を取り扱うが、完全防爆型であり、危険度が大幅に減少している。
【図面の簡単な説明】
【図１】本発明の実施形態を示すシステムのブロック図を示す図である。
【図２】識別マークを読み取る部分のブロック図である。
【図３】タンクローリ車の上面図を示す図である。
【図４】識別マークの例を示す図である。
【図５】ホース等の先端付近の拡大摸式図である。
【符号の説明】
１　　このシステムの中心となる制御部
１Ａ　記憶部
１Ｂ　読み取り部
１Ｃ　比較部
１Ｄ　バルブ制御部
２　　光源
３　　検知器
３Ａ、３Ｂ　光ファイバー
４　　ホース等液体注入の手段
４Ａ　先端付近
５　　識別マーク
６　　バルブ
【図１】
2004051217.tif 000003
【図２】
2004051217.tif 000004
【図３】
2004051217.tif 000005
【図４】
2004051217.tif 000006
【図５】
2004051217.tif 000007